(57)【要約】  制御部は、検知判定部を備え、該検知判定部には、検知信号を取り込むか否かを判定するための閾値として、初期状態で設定される高閾値と低閾値とが切替え可能に設定されており、制御部は、駆動処理を行う前に、検知判定部が取り込み判定をすると、該判定結果に基づいて、駆動処理を開始するまでに、高閾値から低閾値へ切替える低切替処理を行い、該低切替処理後に、検知判定部が取り込み判定すると、駆動部の駆動を中止する駆動中止処理を行う駆動装置。
2017078102.tif 000002
【特許請求の範囲】
【請求項１】
駆動部と、移動体を検知する検知部と、該検知部の検知結果に基づいて前記駆動部を制御する制御部と、を備え、
前記制御部は、前記検知部からの検知信号を取り込むか否かを判定する検知判定部を備え、
該検知判定部には、前記検知信号を取り込むか否かを判定するための閾値として、初期状態で設定される高閾値と、高閾値よりも低い低閾値とが、切替え可能に設定されており、
前記制御部は、前記駆動部を駆動させる駆動処理及び前記駆動部の駆動を中止する駆動中止処理を行うように構成され、前記駆動処理を行う前に、前記検知判定部が、検知信号を取り込む判定である取り込み判定をすると、該判定結果に基づいて、前記駆動処理を開始するまでに、前記検知判定部の閾値を高閾値から低閾値へ切替える低切替処理を行い、
該低切替処理を行った後に、前記検知判定部が取り込み判定すると、該判定結果に基づいて、前記駆動中止処理を行う駆動装置。
【請求項２】
前記制御部は、周期的に、前記駆動処理を行うように構成されており、
前記低切替処理を行った後に、前記検知判定部が取り込み判定した判定結果に基づいて、前記低切替処理後における最初の前記駆動部の駆動に対して前記駆動中止処理を行い、
該駆動中止処理の後に、前記検知判定部の閾値を低閾値から高閾値へ切替える高切替処理を行う請求項１に記載の駆動装置。
【請求項３】
前記制御部は、前記低切替処理を、前記高閾値に設定された前記検知判定部が取り込み判定した後であって、前記駆動処理を開始する時点よりも所定時間前に行う請求項１又は２に記載の駆動装置。
【請求項４】
前記制御部は、前記駆動処理を行う前に前記検知判定部が取り込み判定した場合に、前記低切替処理を行う準備をし、
該準備の後、前記低切替処理を行うまでの間に、前記検知判定部が更に取り込み判定した場合に、前記駆動中止処理を行う請求項１〜３の何れか１項に記載の駆動装置。
【請求項５】
請求項１〜４の何れか１項に記載の駆動装置を用いた噴霧装置であって、前記駆動部が噴霧用材料を噴霧する噴霧部である噴霧装置。
【請求項６】
前記噴霧部の噴霧領域と、前記検知部の検知領域とは、重なり合うように構成されている請求項５に記載の噴霧装置。
【発明の詳細な説明】
【関連出願の相互参照】
【０００１】
本願は、２０１５年１１月４日出願の日本国特願２０１５−２１６６１２号の優先権を主張し、この出願が引用によって組み込まれる。
【技術分野】
【０００２】
本発明は、移動体を検知する検知部の検知結果に基づいて駆動部を制御する駆動装置及び該駆動装置を用いた噴霧装置に関する。
【背景技術】
【０００３】
従来、かかる噴霧装置として、噴霧等によって薬剤を散布可能な散布手段と、散布手段を作動させる散布制御手段と、散布空間における人の存在有無を検知する人検知手段と、散布開始時刻に、人検知手段で人有りが検知されている場合に、人無しが検知されるまで散布開始を遅らせる散布遅延手段と、を備えたものが公知である。【０００４】
該噴霧装置は、散布遅延手段を備えているので、散布開始時刻に誤って散布空間に侵入した第三者等に対して高い安全性を確保でき、しかも第三者等が退去した後に所期の散布を実施できるとされている（例えば、特許文献１）。
【先行技術文献】
【特許文献】
【０００５】
【特許文献１】日本国特開平６−１７０２８６号公報
【０００６】
上記のような、人の存在有無によって散布するか否かが制御される噴霧装置では、人検知手段からの検知信号をどのように取り込んで制御するかによって、散布動作の信頼性が変動する。しかしながら、上記従来の噴霧装置では、人検知手段からの検知信号を幅広く取り込むのか、限定的に取り込むのかについて一切考慮されておらず、改善の余地がある。【０００７】
例えば、上記従来の噴霧装置にあっては、人検知手段からの検知信号を幅広く取り込んで制御する場合には、本来検知する必要のない人まで検知して、散布を不必要に遅らせてしまうおそれがある。【０００８】
一方、人検知手段からの検知信号を限定的に取り込んで制御する場合には、本来検知すべき人を検知できずに、散布を実施してしまうおそれがある。【０００９】
なお、このような改善の余地は、噴霧装置に限られず、散布手段のような駆動部を、人等の移動体を検知する検知部の検知結果に基づいて駆動制御する駆動装置全般にある。
【発明の概要】
【発明が解決しようとする課題】
【００１０】
そこで、本発明は、かかる実情に鑑み、不要な駆動中止を抑制すると共に、必要時には必ず駆動を行わせることで、駆動の信頼性を向上することができる駆動装置、及び該駆動装置を用いた噴霧装置を提供することを課題とする。
【課題を解決するための手段】
【００１１】
本発明に係る駆動装置は、駆動部と、移動体を検知する検知部と、該検知部の検知結果に基づいて前記駆動部を制御する制御部と、を備え、前記制御部は、前記検知部からの検知信号を取り込むか否かを判定する検知判定部を備え、該検知判定部には、前記検知信号を取り込むか否かを判定するための閾値として、初期状態で設定される高閾値と、高閾値よりも低い低閾値とが、切替え可能に設定されており、前記制御部は、前記駆動部を駆動させる駆動処理及び前記駆動部の駆動を中止する駆動中止処理を行うように構成され、前記駆動処理を行う前に、前記検知判定部が、検知信号を取り込む判定である取り込み判定をすると、該判定結果に基づいて、前記駆動処理を開始するまでに、前記検知判定部の閾値を高閾値から低閾値へ切替える低切替処理を行い、該低切替処理を行った後に、前記検知判定部が取り込み判定すると、該判定結果に基づいて、前記駆動中止処理を行うことを特徴とする。【００１２】
本発明の一態様として、前記制御部は、周期的に、前記駆動処理を行うように構成されており、前記低切替処理を行った後に、前記検知判定部が取り込み判定した判定結果に基づいて、前記低切替処理後における最初の前記駆動部の駆動に対して前記駆動中止処理を行い、該駆動中止処理の後に、前記検知判定部の閾値を低閾値から高閾値へ切替える高切替処理を行ってもよい。【００１３】
本発明の他態様として、前記制御部は、前記低切替処理を、前記高閾値に設定された前記検知判定部が取り込み判定した後であって、前記駆動処理を開始する時点よりも所定時間前に行ってもよい。【００１４】
本発明の別の態様として、前記制御部は、前記駆動処理を行う前に前記検知判定部が取り込み判定した場合に、前記低切替処理を行う準備をし、該準備の後、前記低切替処理を行うまでの間に、前記検知判定部が更に取り込み判定した場合に、前記駆動中止処理を行ってもよい。【００１５】
本発明に係る噴霧装置は、上記の駆動装置を用いた噴霧装置であって、前記駆動部が噴霧用材料を噴霧する噴霧部であることを特徴とする。【００１６】
本発明の一態様として、前記噴霧部の噴霧領域と、前記検知部の検知領域とは、重なり合うように構成されていてもよい。
【図面の簡単な説明】
【００１７】
【図１】図１は、本発明の一実施形態に係る噴霧装置の装置構成図である。
【図２】図２は、同実施形態に係る噴霧装置の斜視図である。
【図３】図３は、同実施形態に係る噴霧装置の噴霧領域と検知領域の広がり方の概略を説明するための図である。
【図４】図４は、同実施形態に係る噴霧装置における噴霧制御のフロー図である。
【発明を実施するための形態】
【００１８】
本発明に係る駆動装置を用いた噴霧装置について、以下、図面を参照しつつ説明する。
【００１９】
本実施形態の噴霧装置は、周期的に噴霧を行うように制御されている。本実施形態では、噴霧装置は、３０秒ごとに、０．１〜２秒間噴霧するように制御されている。図１〜図３に示すように、噴霧装置１は、噴霧用材料を噴霧する駆動部としての噴霧部２と、移動体Ｍを検知する検知部３と、時間を計測するタイマー４と、検知部３の検知結果に基づいて、噴霧部２を制御する制御部５と、噴霧領域Ｑを形成する噴霧開口部１３及び検知領域Ｐを形成する検知開口部１４が形成された本体部１０と、を備える。
【００２０】
噴霧部２は、制御部５からの情報に基づいて、噴霧の開始、停止等の動作を行う。噴霧部２は、噴霧装置１の外部に、噴霧領域Ｑを形成するように構成されている。噴霧領域Ｑは、噴霧用材料が広がる領域である。噴霧用材料とは、噴霧部２から噴霧される材料であり、気体、液体等の流動性を有する材料や、粒子状物質等を意味する。本実施形態の噴霧装置１では、噴霧用材料として、殺虫効果のある液状の薬剤が使用されている。
【００２１】
図３に示すように、噴霧領域Ｑは、噴霧開口部１３から、噴霧装置１の外側に向かって放射状に広がっている。本実施形態の噴霧装置１は、噴霧高さとして１０ｃｍ〜４０ｃｍ、噴霧角度として１０度〜２０度で形成される噴霧領域Ｑに、噴霧用材料が広がるように制御されている。
【００２２】
検知部３は、移動体Ｍを検知すると検知信号を発生する。本実施形態の検知部３は、センサである。具体的には、検知部３は、焦電センサである。即ち、検知部３は、移動体Ｍから放射された赤外線を受光することによって検知信号としての電気信号を発生するように構成されている。図示しないが、検知部３は、焦電素子が備えられた検知本体と、焦電素子からの電気信号を増幅する増幅回路と、増幅された電気信号のうち、所望の電気信号を出力するためのフィルター回路と、を備える。フィルター回路は、制御部５に対して電気信号を出力する。以下、検知部３をセンサ３とする。
【００２３】
図３に示すように、センサ３（図示せず）は、噴霧装置１の外部に、検知領域Ｐを形成している。検知領域Ｐは、移動体Ｍを検知するための領域である。検知領域Ｐは、検知開口部１４から、噴霧装置１の外側に向かって放射状に広がっている。本実施形態の噴霧装置１は、検知領域Ｐが、検知距離（検知高さ）として９０ｃｍ程度、検知角度として７０度程度広がるように制御されている。
【００２４】
噴霧領域Ｑと検知領域Ｐとは、重なり合うように構成されている。噴霧領域Ｑと検知領域Ｐとは、噴霧装置１の外側に対して、同方向に広がっている（延びている）。具体的には、噴霧開口部１３及び検知開口部１４が、後述するカバー部１２に隣り合って形成され、カバー部１２を厚み方向に貫通している。噴霧領域Ｑは、噴霧開口部１３を介して噴霧装置１の上方に広がっている。また、検知領域Ｐは、検知開口部１４を介して噴霧装置１の上方に広がっている。噴霧領域Ｑと検知領域Ｐとは、噴霧装置１の上方で重なっている。本実施形態では、検知領域Ｐは、噴霧領域Ｑよりも上方に高く延び、検知領域Ｐの上部において、検知領域Ｐの端縁が、噴霧領域Ｑの端縁よりも外側に位置するように広がっている。また、カバー部１２から噴霧領域Ｑと検知領域Ｐとの重なりの始点Ｓまでの距離Ｄ１は、始点Ｓから噴霧領域Ｑと検知領域Ｐとの重なりの終点Ｅまでの距離Ｄ２よりも短くなっている。
【００２５】
タイマー４は、制御部５からの情報に基づいて、時間の計測を開始し、又は時間の計測を終了するように構成されている。制御部５は、噴霧部２を駆動させる駆動処理としての噴霧処理又は噴霧部２の駆動を中止する駆動中止処理としての噴霧中止処理を繰り返すように構成されており、タイマー４は、前の噴霧処理（又は噴霧中止処理）から次の噴霧処理（又は噴霧中止処理）までの時間等、制御部５による制御が開始されてからの時間を計測する。本実施形態では、タイマー４は、噴霧装置１の電源がオンにされ、制御部５による制御の準備が完了した時点からの時間を計測する。タイマー４は、噴霧装置１の電源がオフにされると、時間の計測を終了する。
【００２６】
タイマー４が時間計測を開始するタイミングについて説明する。タイマー４は、前の制御が噴霧処理で終了した場合（即ち、噴霧が実行された場合）、該噴霧が終了する時点である噴霧停止時から時間の計測を開始する。タイマー４は、前の制御が噴霧中止処理で終了した場合（即ち、予定されていた噴霧が実行されなかった場合）、噴霧が開始される予定であった噴霧開始予定時から時間の計測を開始する。
【００２７】
時間計測を開始したタイマー４が時間計測を終了するタイミングについて説明する。タイマー４は、計測中に制御が噴霧処理で終了した場合、噴霧停止と共に、時間の計測を終了する。また、タイマー４は、計測中に制御が噴霧中止処理で終了した場合、噴霧開始予定時に時間の計測を終了する。即ち、制御が噴霧中止処理で終了した場合、噴霧開始予定時に噴霧が行われず、噴霧開始予定時に制御が終了することとなる。また、タイマー４は、制御部５からの情報に基づいて、計測した時間をリセットするように構成されている。
【００２８】
図１に示すように、制御部５は、噴霧部２の噴霧を制御する噴霧制御部６と、移動体Ｍを検知したか否かを判定するセンサ制御部８と、噴霧処理とするか、又は噴霧中止処理とするかを制御する処理部７と、を備える。本実施形態の制御部５は、周期的に、噴霧部２の噴霧処理を行うように構成されている。本実施形態の制御部５は、マイコン（ｍｉｃｒｏ  ｃｏｍｐｕｔｅｒ）内に配置され、噴霧部２を制御している。
【００２９】
噴霧制御部６は、処理部７からの情報に基づいて、噴霧部２の噴霧を制御する。噴霧制御部６は、噴霧部２に対して、噴霧を開始させる噴霧開始信号、開始された噴霧を停止させる噴霧停止信号、及び噴霧が開始されないように噴霧を中止させる噴霧中止信号を出力する。噴霧制御部６は、処理部７から噴霧を開始させる指令である噴霧指令を受けると、噴霧開始信号を出力する。噴霧制御部６は、処理部７から噴霧を終了させる指令である噴霧停止指令を受けると、噴霧停止信号を出力する。また、噴霧制御部６は、処理部７から噴霧を中止させる指令である噴霧中止指令を受けると、噴霧中止信号を出力する。噴霧制御部６が噴霧中止信号を出力することで、予定されていた噴霧が中止され、噴霧が開始されない状態となる。
【００３０】
センサ制御部８は、センサ３からの検知信号を取り込むか否かを判定する検知判定部８１と、閾値の切替処理を行う閾値切替部８２と、を有する。
【００３１】
検知判定部８１には、センサ３からの検知信号を取り込むか否かを判定するための閾値が設定されている。検知判定部８１は、検知信号が該閾値を越えているか否かに基づいて、検知信号を取り込むか否かを判定する。具体的には、検知判定部８１は、検知信号が閾値よりも大きい場合には、検知信号を取り込むと判定し（取り込み判定）、検知信号が閾値以下の場合には、検知信号を取り込まないと判定する（非取り込み判定）。検知判定部８１には、閾値として、初期状態で設定される高閾値と、高閾値よりも低い低閾値とが、切替え可能に設定されている。検知判定部８１は、閾値が切替ると、新たな閾値に基づいて、検知信号を取り込むか否かを判定する。検知判定部８１は、判定結果を処理部７に対して出力するように構成されている。
【００３２】
検知判定部８１が高閾値と低閾値とに切替えられることによって、噴霧装置１は、感度が低い状態と感度が高い状態とに切替えられる。具体的には、センサ３は、移動体Ｍが検知領域Ｐ内で移動すると、検知信号としての電気信号を出力するように構成されている。センサ３は、移動体Ｍが大きく移動すればするほど、大きな検知信号を出力するように構成されている。そのため、検知判定部８１に高閾値が設定された状態では、検知判定部８１は、検知領域Ｐ内での移動体Ｍの動きが大きければ検知信号を取り込むことができるが、検知領域Ｐ内での移動体Ｍの動きが小さければ、検知信号を取り込み難くなる。これに対して、検知判定部８１に低閾値が設定された状態では、検知判定部８１は、検知領域Ｐ内での移動体Ｍの動きが小さくても、検知信号を取り込みやすくなる。このように、検知判定部８１は、感度が高い状態（低閾値）では、感度が低い状態（高閾値）よりも、多くの検知信号を取り込むことができる。
【００３３】
本実施形態では、検知判定部８１には、高閾値と低閾値との間の閾値である中閾値と、高閾値とが切替え可能に設定されている。
【００３４】
閾値切替部８２は、処理部７からの情報に基づいて、検知判定部８１の閾値を切替えるように構成されている。閾値切替部８２は、処理部７からの情報に基づいて、検知判定部８１の閾値を高閾値から低閾値へ切替える低切替処理と、検知判定部８１の閾値を低閾値から高閾値へ切替える高切替処理とを行うように構成されている。本実施形態では、高切替処理には、検知判定部８１の閾値を中閾値から高閾値に切り替える処理も含まれるものとする。閾値切替部８２は、処理部７から閾値を高閾値から低閾値へ切替える指令である低切替指令を受けると、低切替処理を行い、検知判定部８１の閾値を高閾値から低閾値に切り替える。また、閾値切替部８２は、処理部７から閾値を低閾値（中閾値）から高閾値へ切替える指令である高切替指令を受けると、高切替処理を行い、検知判定部８１の閾値を低閾値から高閾値に切り替える。
【００３５】
本実施形態の閾値切替部８２は、処理部７からの情報に基づいて、検知判定部８１の閾値を高閾値から中閾値へ切替える中切替処理を行うように構成されている。閾値切替部８２は、処理部７から閾値を高閾値から中閾値へ切替える指令である中切替指令を受けると、中切替処理を行い、検知判定部８１の閾値を高閾値から中閾値に切り替える。また、閾値切替部８２は、処理部７から高切替指令を受けると、高切替処理を行い、検知判定部８１の閾値を中閾値から高閾値に切り替える。
【００３６】
処理部７は、タイマー４に対して、時間の計測を開始させるための計測開始指令、時間の計測を終了させるための計測停止指令、及び計測した時間をリセットさせるためのリセット指令を出力する。処理部７は、噴霧装置１の電源がオンにされ、制御の準備が完了すると、タイマー４に対して計測開始指令を出力する。そして、処理部７は、噴霧装置１の電源がオフにされると、タイマー４に対して計測停止指令を出力した上で、リセット指令を出力する。
【００３７】
処理部７は、前の制御が噴霧処理で終了した場合、噴霧停止時に計測開始指令を出力して次の（新たな）制御を開始する。そして、処理部７は、該制御が噴霧処理で終了すると噴霧停止時に計測停止指令を出力して制御を終了する。処理部７は、該制御が噴霧中止処理で終了すると、噴霧開始予定時に計測停止指令を出力して制御を終了する。
【００３８】
また、処理部７は、前の制御が噴霧中止処理で終了した場合、噴霧開始予定時に計測開始指令を出力して次の（新たな）制御を開始する。そして、処理部７は、該制御が噴霧処理で終了すると噴霧停止時に計測停止指令を出力して制御を終了する。処理部７は、該制御が噴霧中止処理で終了すると、噴霧開始予定時に計測停止指令を出力して制御を終了する。処理部７は、タイマー４に対して、計測停止指令を出力すると共にリセット指令を出力し、制御が終了した時点で次の制御の時間計測を開始可能な状態となる。
【００３９】
処理部７は、噴霧部２に噴霧を実行させる噴霧処理、及び予定されていた噴霧を中止する噴霧中止処理を行う。処理部７は、タイマー４及び検知判定部８１からの情報に基づいて、噴霧処理、又は噴霧中止処理を行う。処理部７は、噴霧処理を行うと、噴霧制御部６へ噴霧指令を出力する。処理部７は、噴霧開始から所定時間（本実施形態では、０．１〜２秒）経過すると、噴霧部２の噴霧を停止させる。即ち、処理部７は、タイマー４からの情報に基づいて、噴霧開始から所定時間経過したかを判断し、噴霧開始から所定時間経過したと判断すると、噴霧制御部６へ噴霧停止指令を出力する。これにより、一定の時間、噴霧が継続される。また、処理部７は、噴霧中止処理を行うと、噴霧制御部６へ噴霧中止指令を出力する。また、処理部７は、閾値切替部８２へ低切替指令、高切替指令、又は中切替指令を出力するようにも構成されている。
【００４０】
処理部７は、噴霧処理を行う前に、検知判定部８１が高閾値に基づいて取り込み判定をすると、該判定結果に基づいて、噴霧処理を開始するまでに、閾値切替部８２に低切替処理を行わせる。これにより、検知判定部８１の閾値が高閾値から低閾値に切り替わる。処理部７は、閾値切替部８２が低切替処理を行った後に、検知判定部８１が低閾値に基づいて取り込み判定をすると、該判定結果に基づいて、噴霧中止処理を行う。
【００４１】
本実施形態では、処理部７は、閾値切替部８２が低切替処理を行った後に、検知判定部８１が低閾値に基づいて取り込み判定をすると、該判定結果に基づいて、前記低切替処理後における最初の噴霧部２の噴霧に対して噴霧中止処理を行う。この場合、処理部７は、該噴霧中止処理の後に、閾値切替部８２に高切替処理を行わせる。これにより、検知判定部８１の閾値が低閾値から高閾値に切り替わり、検知判定部８１は、初期状態に戻る。そして、次の制御が開始される。
【００４２】
処理部７は、高閾値に設定された（初期状態の）検知判定部８１が取り込み判定した後であって、噴霧処理を開始する時点よりも所定時間前に、閾値切替部８２に低切替処理を行わせる。本実施形態では、処理部７は、高閾値に設定された検知判定部８１が取り込み判定した後、高閾値に設定された期間が、低閾値に設定された期間よりも長くなるように、閾値切替部８２に低切替処理を行わせる。具体的には、処理部７は、高閾値に設定された検知判定部８１が取り込み判定した後であって、噴霧処理を開始する時点よりも５秒前に、閾値切替部８２に低切替処理を行わせる。即ち、噴霧処理を開始する５秒前よりも前に、検知判定部８１が高閾値に基づいて取り込み判定すると、噴霧処理を開始する５秒前に、検知判定部８１の閾値が高閾値から低閾値に切替えられる。
【００４３】
噴霧処理（又は噴霧中止処理）と噴霧処理（又は噴霧中止処理）との間の期間は、検知判定部８１が高閾値に基づいて取り込み判定を行う高閾値設定期間と、検知判定部８１が低閾値に基づいて取り込み判定を行う低閾値設定期間と、を有する。処理部７は、高閾値設定期間が低閾値設定期間よりも長くなるように、閾値切替部８２に低切替処理を行わせる。本実施形態では、３０秒ごとに噴霧処理が行われ、タイマー４による時間の計測が開始されてから２５秒間は、高閾値に基づいて検知信号が取り込まれるか否かが判定される。また、噴霧処理開始前の５秒間は、低閾値に基づいて検知信号が取り込まれるか否かが判定される。
【００４４】
本実施形態では、検知判定部８１が、時間の計測が開始されてから２５秒間に一度も取り込み判定を行わない場合（即ち、検知判定部８１の判定結果が全て非取り込み判定であった場合）、処理部７は、該判定結果に基づいて、噴霧処理を開始する５秒前に、閾値切替部８２に中切替処理を行わせる。これにより、検知判定部８１の閾値が高閾値から中閾値に切り替わる。処理部７は、閾値切替部８２が中切替処理を行った後に検知判定部８１が取り込み判定すると、該判定結果に基づいて、噴霧中止処理を行う。
【００４５】
本実施形態では、処理部７は、噴霧処理を行う前に検知判定部８１が高閾値に基づいて取り込み判定した場合に、閾値切替部８２に低切替処理を行う準備をさせる。処理部７は、該準備の後、閾値切替部８２が低切替処理を行うまでの間に、検知判定部８１が更に高閾値に基づいて取り込み判定した場合に、噴霧中止処理を行う。
【００４６】
本体部１０は、噴霧部２、センサ３、タイマー４、及び制御部５を収容する有底筒状の噴霧本体１１と、噴霧本体１１を閉鎖するカバー部１２とを有する。また、本体部１０には、噴霧開口部１３と、検知開口部１４とが形成されている。噴霧本体１１は、円筒状に形成され、カバー部１２は、円形の板状に形成されている。カバー部１２は、噴霧本体１１の上部の開口の全体を覆う天板であり、該天板に噴霧開口部１３と、検知開口部１４とが形成されている。カバー部１２は、噴霧本体１１の底とは反対側に設けられている。
【００４７】
以下、本実施形態に係る噴霧装置１の噴霧制御フローについて、図４を参照しつつ説明する。本実施形態では、検知判定部８１（図１参照）は、各ステップにおいて、閾値よりも大きい検知信号が１回発生した場合に、取り込み判定をするものとする。
【００４８】
本実施形態の噴霧装置１は、周期的に噴霧を行うように制御されている。本実施形態の噴霧装置１は、３０秒ごとに、０．１〜２秒間噴霧するように制御されている。そして、前の制御が終了すると、検知判定部８１には初期状態として高閾値が設定され、噴霧部２は、噴霧周期毎に独立に制御される。
【００４９】
噴霧部２の制御は、噴霧装置１の電源がオンにされ、制御の準備が完了した時点から開始する。噴霧部２の制御は、前の制御が噴霧処理で終了した場合（即ち、噴霧が実行された場合）、該噴霧が終了する時点である噴霧停止時から開始する。噴霧部２の制御は、前の制御が噴霧中止処理で終了した場合（即ち、予定されていた噴霧が実行されなかった場合）、噴霧が開始される予定であった噴霧開始予定時から開始する。
【００５０】
噴霧部２の制御が開始すると（ステップＳＳ）、処理部７は、タイマー４に計測開始指令を出力し、タイマー４は、時間の計測を開始する（ステップＳ１）。タイマー４が時間の計測を開始すると、処理部７は、閾値切替部８２に対して、検知判定部８１に初期状態の閾値として高閾値を設定するように指令する。閾値切替部８２は、検知判定部８１に設定されている閾値を高閾値へ切り替える処理を行う（ステップＳ２）。
【００５１】
ステップＳ３において、検知判定部８１は、高閾値に基づいて、検知信号を取り込むか否かを判定する。本実施形態では、検知判定部８１は、噴霧部２が噴霧開始待ちの状態である、制御開始から通常時間Ｔ１の間、高閾値に基づいて、検知信号を取り込むか否かを判定する。検知判定部８１が取り込み判定をすると（ステップＳ３でＹＥＳ）、フローは、ステップＳ４４へと進み、検知判定部８１が非取り込み判定をすると（ステップＳ３でＮＯ）、フローは、ステップＳ４へと進む。まず、制御開始（ステップＳＳ）から通常時間Ｔ１の間に、検知判定部８１が非取り込み判定のみをした場合（即ち、制御開始から通常時間Ｔ１の間に発生した検知信号が、全て高閾値以下である場合）のフローについて説明する。
【００５２】
ステップＳ３において、検知判定部８１が非取り込み判定をすると（ステップＳ３でＮＯ）、制御開始から通常時間Ｔ１が経過したか否かが判断される（ステップＳ４）。本実施形態では、通常時間Ｔ１として２５秒が設定されている。ステップＳ４において、制御開始から２５秒経過していないと判断されると、フローは、ステップＳ３へと戻り（ステップＳ４でＮＯ）、検知判定部８１は、再度、検知信号を取り込むか否かを判定する。検知判定部８１は、制御開始から２５秒経過するまでの間に、高閾値よりも大きい検知信号が発生するまで、非取り込み判定を繰り返す（ルートＲ１）。
【００５３】
検知判定部８１が非取り込み判定を繰り返している間に（ルートＲ１）、ステップＳ４において、制御開始から２５秒経過したと判断されると（ステップＳ４でＹＥＳ）、中切替処理が行われ、検知判定部８１の閾値は、高閾値から中閾値に切替えられる（ステップＳ５）。そして、フローは、ステップＳ６へと進む。
【００５４】
ステップＳ６において、検知判定部８１は、中閾値に基づいて、検知信号を取り込むか否かを判定する。ステップＳ６において、検知判定部８１が非取り込み判定をすると（ステップＳ６でＮＯ）、制御開始から噴霧開始直前の時間である噴霧直前時間Ｔ２が経過したか否かが判断される（ステップＳ８）。本実施形態では、噴霧直前時間Ｔ２として、３０秒が設定されている。このように、検知判定部８１は、中切替処理が行われた時点（制御開始から２５秒経過時点）から噴霧開始予定時（制御開始から３０秒経過時点）までの５秒間、中閾値に基づいて、検知信号を取り込むか否かを判定する。
【００５５】
ステップＳ８において、制御開始から３０秒経過していないと判断されると、フローは、ステップＳ６へと戻り（ステップＳ８でＮＯ）、検知判定部８１は、再度、検知信号を取り込むか否かを判定する。検知判定部８１は、中切替処理が行われた時点から噴霧開始予定時までの間に、中閾値よりも大きい検知信号が発生するまで、非取り込み判定を繰り返す（ルートＲ２）。
【００５６】
検知判定部８１が非取り込み判定を繰り返している間に（ルートＲ２）、制御開始から３０秒経過したと判断されると（ステップＳ８でＹＥＳ）、噴霧装置１の周辺に移動体Ｍが存在していないとして、噴霧が開始される（ステップＳ９）。そして、フローは終了し（ステップＳＥ）、次の制御が開始される。
【００５７】
これに対して、中切替処理が行われた時点から噴霧開始予定時までの間に、中閾値よりも大きい検知信号が発生し、検知判定部８１が取り込み判定をすると（ステップＳ６でＹＥＳ）、噴霧装置１の周辺に移動体Ｍが存在するとして、噴霧中止処理が行われ（ステップＳ７）、予定されていた噴霧が中止される。そして、フローは終了し（ステップＳＥ）、次の制御が開始される。
【００５８】
次に、制御開始から通常時間Ｔ１の間に、高閾値よりも大きい検知信号が発生した場合のフローについて説明する。
【００５９】
ステップＳ３において、検知判定部８１が取り込み判定をすると（ステップＳ３でＹＥＳ）、制御開始から通常時間Ｔ１（本実施形態では２５秒）が経過したか否かが判断されると共に（ステップＳ４４）、閾値切替部８２は、制御開始から２５秒後に低切替処理を行うための準備をする。
【００６０】
ステップＳ４４において、制御開始から２５秒経過していないと判断されると、フローは、ステップＳ４０へと進む。ステップＳ４０において、検知判定部８１は、再度、高閾値に基づいて、検知信号を取り込むか否かを判定する。ステップＳ４０において、検知判定部８１が取り込み判定をすると（ステップＳ４０でＹＥＳ）、噴霧装置１の周辺に移動体Ｍが存在するとして、噴霧中止処理が行われ（ステップＳ５０）、噴霧が中止される。即ち、制御開始から２５秒間に、高閾値に基づく取り込み判定が複数回なされると、噴霧が中止される。そして、フローは終了し（ステップＳＥ）、次の制御が開始される。
【００６１】
これに対して、ステップＳ４０において、検知判定部８１が非取り込み判定をすると（ステップＳ４０でＮＯ）、フローは、ステップＳ４４へと戻り、再度、制御開始から２５秒経過したか否かが判断される。検知判定部８１は、制御開始から２５秒経過するまでの間に、高閾値よりも大きい検知信号が発生するまで、非取り込み判定を繰り返す（ルートＲ３）。
【００６２】
検知判定部８１が非取り込み判定を繰り返している間に（ルートＲ３）、制御開始から２５秒経過したと判断されると（ステップＳ４４でＹＥＳ）、低切替処理が行われ、検知判定部８１の閾値は、高閾値から低閾値に切替えられる（ステップＳ５５）。そして、フローは、ステップＳ６６へと進む。
【００６３】
ステップＳ６６において、検知判定部８１は、低閾値に基づいて、検知信号を取り込むか否かを判定する。ステップＳ６６において、検知判定部８１が非取り込み判定をすると（ステップＳ６６でＮＯ）、制御開始から噴霧直前時間Ｔ２（本実施形態では３０秒）が経過したか否かが判断される（ステップＳ８８）。このように、検知判定部８１は、低切替処理が行われた時点（制御開始から２５秒経過時点）から噴霧開始予定時（制御開始から３０秒経過時点）までの５秒間、低閾値に基づいて、検知信号を取り込むか否かを判定する。
【００６４】
ステップＳ８８において、制御開始から３０秒経過していないと判断されると、フローは、ステップＳ６６へと戻り（ステップＳ８８でＮＯ）、検知判定部８１は、再度、低閾値に基づいて、検知信号を取り込むか否かを判定する。検知判定部８１は、低切替処理が行われた時点から噴霧開始予定時までの間に、低閾値よりも大きい検知信号が発生するまで、非取り込み判定を繰り返す（ルートＲ４）。
【００６５】
検知判定部８１が非取り込み判定を繰り返している間に（ルートＲ４）、ステップＳ８８において、制御開始から３０秒経過したと判断されると、噴霧装置１の周辺に移動体Ｍが存在していないとして、噴霧が開始される（ステップＳ９９）。そして、フローは終了し（ステップＳＥ）、次の制御が開始される。
【００６６】
これに対して、低切替処理が行われた時点から噴霧開始予定時までの間に、低閾値よりも大きい検知信号が発生し、検知判定部８１が取り込み判定をすると（ステップＳ６６でＹＥＳ）、噴霧装置１の周辺に移動体Ｍが存在するとして、噴霧中止処理が行われ（ステップＳ７７）、噴霧が中止される。そして、フローは終了し（ステップＳＥ）、次の制御が開始される。
【００６７】
以上のように、本実施形態に係る噴霧装置１は、駆動部としての噴霧部２と、移動体Ｍを検知するセンサ３と、該センサ３の検知結果に基づいて噴霧部２を制御する制御部５と、を備え、制御部５は、センサ３からの検知信号を取り込むか否かを判定する検知判定部８１を備え、該検知判定部８１には、前記検知信号を取り込むか否かを判定するための閾値として、初期状態で設定される高閾値と、高閾値よりも低い低閾値とが、切替え可能に設定されており、制御部５は、噴霧部２を駆動させる噴霧処理及び噴霧部２の駆動を中止する噴霧中止処理を行うように構成され、前記噴霧処理を行う前に、検知判定部８１が、検知信号を取り込む判定である取り込み判定をすると、該判定結果に基づいて、噴霧処理を開始するまでに、検知判定部８１の閾値を高閾値から低閾値へ切替える低切替処理を行い、該低切替処理を行った後に、検知判定部８１が取り込み判定すると、該判定結果に基づいて、前記噴霧中止処理を行う。
【００６８】
かかる構成によれば、初期状態では、検知判定部８１の閾値が高閾値なので、センサ３からの検知信号を検知感度が低い状態で取り込むことができる。そのため、通常時の検知を必要な範囲に制限された検知にとどめることができ、不必要に移動体Ｍを検知して噴霧部２の噴霧を中止してしまうのを抑制することができる。
【００６９】
一方、初期状態で、検知判定部８１が検知信号を取り込むと判定すると、低切替処理によって検知判定部８１の閾値が低閾値に切り替わる。そのため、低切替処理後、噴霧開始までの間は、センサ３からの検知信号を検知感度が高い状態で取り込むことができ、高精度に検知判定して、噴霧部２の噴霧を中止することができる。
【００７０】
よって、通常時は、必要な範囲に制限された検知にとどめることによって、不要な噴霧中止を抑制して噴霧させることができ、一旦、検知信号を取り込むと判定すると（移動体Ｍを検知したと判定すると）、精度よく検知して噴霧を中止することができる。従って、かかる構成の噴霧装置１は、噴霧の信頼性が向上する。
【００７１】
本実施形態において、制御部５は、周期的に、噴霧処理を行うように構成されており、前記低切替処理を行った後に、検知判定部８１が取り込み判定した判定結果に基づいて、前記低切替処理後における最初の噴霧部２の噴霧に対して噴霧中止処理を行い、該噴霧中止処理の後に、検知判定部８１の閾値を低閾値から高閾値へ切替える高切替処理を行う。かかる構成によれば、噴霧中止処理後に、高切替処理を行うため、所定時間毎の噴霧を個々に信頼性高く制御することができる。
【００７２】
本実施形態において、制御部５は、低切替処理を、高閾値に設定された検知判定部８１が取り込み判定した後であって、噴霧処理を開始する時点よりも所定時間前に行う。かかる構成によれば、噴霧部２の噴霧を開始する直前の時間帯で、低閾値で判定してセンサ３からの信号を検知感度が高い状態で取り込むことができ、噴霧部２の噴霧開始直前の時間帯で信頼性高く制御することができる。
【００７３】
本実施形態において、制御部５は、噴霧処理を行う前に検知判定部８１が取り込み判定した場合に、低切替処理を行う準備をし、該準備の後、低切替処理を行うまでの間に、検知判定部８１が更に取り込み判定した場合に、噴霧中止処理を行う。かかる構成によれば、噴霧部２の噴霧を行う前に、多くの検知信号を検知判定部で検知判定した場合に、噴霧を中止することができるため、安全性が高いものとなる。
【００７４】
本実施形態において、噴霧部２の噴霧領域Ｑと、センサ３の検知領域Ｐとは、重なり合うように構成されている。かかる構成によれば、移動体Ｍが噴霧領域Ｑに近づいた場合でも、該移動体Ｍを検知して、噴霧を中止することができる。
【００７５】
上記実施形態では、前の噴霧処理（又は噴霧中止処理）から次の噴霧処理（又は噴霧中止処理）の間の全期間において連続して、噴霧を行うか否かについての判断が行われるため、検知領域Ｐに存在する移動体Ｍの検知漏れを防止することができる。
【００７６】
上記実施形態では、高閾値に設定される期間が、低閾値に設定される期間よりも長くなるように、通常時間Ｔ１及び噴霧直前時間Ｔ２が設定されている。そのため、感度が低い期間が、感度が高い期間よりも長くなる。これにより、感度が高い期間が不必要に長くなるのを防止することができ、不用意に移動体Ｍを検知してしまうのを抑制することができる。
【００７７】
上記実施形態では、制御開始から２５秒の間に、高閾値よりも大きい検知信号が発生しなかった場合（ステップＳ４でＹＥＳ）、閾値が高閾値から中閾値に切替えられる（ステップＳ５）。これにより、噴霧が開始する直前の感度を上げることができる。そのため、噴霧装置１の周辺に移動体Ｍが存在しない場合でも、噴霧が開始する直前の検知精度を上げ、噴霧直前に検知領域Ｐに侵入する移動体Ｍを検知することができる。
【００７８】
上記実施形態では、検知領域Ｐは、噴霧領域Ｑよりも上方に高く延び、検知領域Ｐの上部において、検知領域Ｐの端縁が、噴霧領域Ｑの端縁よりも外側に位置するように広がっている。そのため、人等の移動体Ｍが噴霧装置１に接近すると、移動体Ｍは、噴霧領域Ｑ内に侵入する前に、検知領域Ｐ内に侵入することとなる。そのため、移動体Ｍを検知する前に、噴霧が開始してしまうのを防止することができる。また、カバー部１２から噴霧領域Ｑと検知領域Ｐとの重なりの始点Ｓまでの距離Ｄ１は、始点Ｓから噴霧領域Ｑと検知領域Ｐとの重なりの終点Ｅまでの距離Ｄ２よりも短くなっている。そのため、噴霧領域Ｑと検知領域Ｐとは、広範囲に重なることとなり、噴霧が開始する前に移動体Ｍを検知し易くなる。
【００７９】
上記実施形態では、検知判定部８１は、各ステップにおいて、閾値よりも大きい検知信号が１回発生した場合に、取り込み判定をする。そのため、検知判定部８１は、閾値よりも大きい検知信号が発生すれば必ず取り込み判定をすることとなり、検知領域Ｐ内に侵入した移動体Ｍを、確実に検知することができる。
【００８０】
上記実施形態の噴霧装置１は、駆動部が噴霧用材料を噴霧する噴霧部２である。かかる構成によれば、噴霧装置１の近くにいる移動体Ｍに、噴霧用材料が暴露しないように、信頼性高く噴霧を制御することができる。
【００８１】
以上より、本実施形態によれば、不要な駆動中止を抑制すると共に、必要時には必ず駆動を行わせることで、駆動の信頼性を向上することができる駆動装置、及び該駆動装置を用いた噴霧装置１を提供することができる。
【００８２】
尚、本発明の噴霧装置１は、上記実施形態に限定されるものではなく、本発明の要旨を逸脱しない範囲内において種々変更を加え得ることは勿論である。
【００８３】
上記実施形態では、駆動装置が噴霧装置１に用いられた場合について説明したが、駆動装置は、噴霧装置１以外にも用いられてもよい。例えば、駆動装置は、温風ヒーター、ファンモーター、高電圧を発生させる機構を有する消臭器等に用いられてもよい。
【００８４】
上記実施形態では、検知判定部８１は、各ステップにおいて、閾値よりも大きい検知信号が１回発生した場合に、取り込み判定をする場合について説明したが、これに限定されるものではない。検知判定部８１は、各ステップにおいて、閾値よりも大きい検知信号が複数回発生した場合に、取り込み判定をしてもよい。具体的には、ステップＳ３において、検知判定部８１は、高閾値よりも大きい検知信号が複数回発生した場合に取り込み判定をし、フローをステップＳ４４へと進めてもよい。例えば、検知判定部８１は、制御開始から通常時間Ｔ１の間に、高閾値よりも大きい検知信号が３回発生した場合に、取り込み判定をして、フローをステップＳ４４へと進めてもよい。制御開始から通常時間Ｔ１の間に、高閾値よりも大きい検知信号が１回発生した場合よりも、３回発生した場合の方が、噴霧の開始直前に、検知領域Ｐ内に移動体Ｍが留まっている可能性が高いため、より精度よく移動体Ｍを検知することができる。
【００８５】
また、上記実施形態では、制御開始から通常時間Ｔ１の間に、高閾値よりも大きい検知信号が２回発生すると（即ち、ステップＳ３及びステップＳ４０の各ステップでは、高閾値よりも大きい検知信号が１回発生すると取り込み判定を行う）、閾値を切替えることなく噴霧を中止する（ステップＳ５０）こととなるが、これに限定されるものではない。ステップＳ３及びステップＳ４０において、取り込み判定とする場合の検知信号の数は、自由に設定可能である。例えば、高閾値よりも大きい検知信号が複数回発生した場合に、ステップＳ３において、取り込み判定としてフローをステップＳ４４へと進め（ステップＳ３でＹＥＳ）、高閾値よりも大きい検知信号が１回発生した場合に、取り込み判定として（ステップＳ４０でＹＥＳ）、噴霧が中止されてもよい（ステップＳ５０）。また、これとは逆に、高閾値よりも大きい検知信号が１回発生した場合に、ステップＳ３において、取り込み判定としてフローをステップＳ４４へと進め（ステップＳ３でＹＥＳ）、高閾値よりも大きい検知信号が複数回発生した場合に、取り込み判定として（ステップＳ４０でＹＥＳ）、噴霧が中止されてもよい（ステップＳ５０）。更に、ステップＳ３及びステップＳ４０の双方において、高閾値よりも大きい検知信号が複数回発生した場合に、取り込み判定としてもよい。
【００８６】
上記実施形態では、ステップＳ６及びステップＳ６６においても、検知判定部８１は、閾値よりも大きい検知信号が１回発生した場合に、取り込み判定をする場合について説明したが、これに限定されるものではない。ステップＳ６及びステップＳ６６においても、閾値よりも大きい検知信号が複数回発生した場合に取り込み判定を行い、噴霧が中止されてもよい。
【００８７】
上記実施形態では、ステップＳ３において取り込み判定後（ステップＳ３でＹＥＳ）、高閾値に基づいて、再度、検知信号を取り込むか否かが判定される（ステップＳ４０）場合について説明したが、これに限定されるものではない。ステップＳ３において取り込み判定後、再度、検知信号を取り込むか否かが判定されることなく、通常時間Ｔ１が経過したか否かの判断が行われてもよい（ステップＳ４４でＮＯからステップＳ４４へ戻るルートＲ５）。
【００８８】
上記実施形態では、ステップＳ４において、通常時間Ｔ１が経過したと判断されると、検知判定部８１の閾値が、高閾値から中閾値に切替えられる（ステップＳ５）場合について説明したが、検知判定部８１の閾値は、切替えられなくてもよい。即ち、通常時間Ｔ１経過以後、フローは、ステップＳ５を介さずにステップＳ６へと進み、検知判定部８１は、高閾値に基づいて、検知信号を取り込むか否かを判定してもよい。
【００８９】
上記実施形態では、噴霧装置１は、３０秒ごとに、０．１〜２秒間噴霧するように制御され、閾値の切替処理が制御開始から２５秒後に行われる場合について説明したが、これに限定されるものではない。噴霧する間隔、及び噴霧の継続時間は限定されるものではなく、閾値の切替処理が行われるタイミングは、自由に設定可能である。例えば、処理部７は、検知判定部８１が取り込み判定すると同時に（ステップＳ３でＹＥＳ）、閾値切替部８２に低切替指令を出し、検知判定部８１の閾値を高閾値から低閾値へ切替えてもよい（ステップＳ５５）。即ち、この場合、検知判定部８１の取り込み判定後（ステップＳ３でＹＥＳ）、フローは、ステップＳ４４を介さずにステップＳ５５へと進み、制御開始から通常時間Ｔ１が経過したか否かについては、判断されなくてもよい。
【００９０】
上記実施形態では、高閾値設定期間が低閾値設定期間よりも長い場合について説明したが、これに限定されるものではない。高閾値設定期間及び低閾値設定期間の長さは、自由に設定することができる。そのため、高閾値設定期間が低閾値設定期間よりも短くてもよく、また、高閾値設定期間と低閾値設定期間とは、同じ長さでもよい。
【００９１】
上記実施形態では、制御が開始すると、ステップＳ２において、検知判定部８１に高閾値が設定される場合について説明したが、これに限定されるものではない。検知判定部８１の閾値が高閾値に設定された状態で、制御が開始されてもよい。即ち、ステップＳＥでフローが終了する前に、検知判定部８１の閾値が高閾値に設定されてもよい。この場合、制御が開始して（ステップＳＳ）、タイマー４が時間の計測を開始すると、ステップＳ２を介さずに、検知判定部８１は、高閾値に基づいて、検知信号を取り込むか否かを判定してもよい（ステップＳ３）。
【００９２】
上記実施形態では特に言及していないが、噴霧装置１の噴霧周期が長い場合、制御部５は、所定の時間、センサ３への電力の供給をオフにしてもよい。これにより、移動体Ｍを検知する必要の無い期間、不要に電力が消費されるのを防止することができる。
【符号の説明】
【００９３】
１…噴霧装置、２…噴霧部、３…検知部（センサ）、４…タイマー、５…制御部、６…噴霧制御部、７…処理部、８…センサ制御部、８１…検知判定部、８２…閾値切替部、１０…本体部、１１…噴霧本体、１２…カバー部、１３…噴霧開口部、１４…検知開口部、Ｄ１，Ｄ２…距離、Ｅ…終点、Ｍ…移動体、Ｐ…検知領域、Ｑ…噴霧領域、Ｓ…始点、Ｔ１…通常時間、Ｔ２…噴霧直前時間
【図１】
2017078102.tif 000003
【図２】
2017078102.tif 000004
【図３】
2017078102.tif 000005
【図４】
2017078102.tif 000006
【国際調査報告】
2017078102.tif 000007
2017078102.tif 000008
2017078102.tif 000009
2017078102.tif 000010